(57)【要約】記録されたメッセージを記録及びアクセスすることを可能にされた多数のユーザ（１２）を有する共同オーディオメッセージ記録装置ＧＡＭＢ（１０）を含むコミュニケーションシステムを提供する。それぞれのメッセージの記録は、記録手段へのアクセスに関する少なくとも一つの認可パラメータ、例えばアクセスが起こる時間／日付又は位置、の獲得及び蓄積を含む。認可パラメータは、あらかじめ記録されたメッセージに対するユーザによるアクセスのための次の要求に対してさらにチェックされる（１８）。アクセスは、マッチングしている認可パラメータを有するそれらのメッセージにのみ与えられるだけである。
2004509569.tif 000002
【特許請求の範囲】
【請求項１】
多数のユーザが記録手段にアクセスすること及びこれによりそれぞれのオーディオメッセージを記録することを可能とするように構成されたコミュニケーションシステムと結合したオーディオデータ記録手段を有する共同オーディオメッセージ記録装置であって、それぞれのメッセージの記録は、記録手段へのアクセスに関する少なくとも一つの認可パラメータの獲得及び蓄積をさらに含み、前記装置はさらに、ユーザによる前記記録手段への次のアクセスのための前記認可パラメータを決定し、マッチングしている認可パラメータを有する以前に記録されたメッセージへの前記ユーザによるアクセスを可能とし、さもなければそのようなアクセスを否認するように構成される、ことを特徴とする装置。
【請求項２】
請求項１記載の装置であって、前記コミュニケーションシステムは、前記記録手段に、メッセージを記録するユーザ用及びメッセージの再生を要求するユーザ用の地理的位置の指示を認可パラメータとして供給する、ことを特徴とする装置。
【請求項３】
請求項２記載の装置であって、前記コミュニケーションシステムは、ユーザが前記記録手段にアクセスするための複数のネットワークビーコンを含み、前記地理的認可パラメータは、ユーザが前記記録手段にアクセスするためのビーコン又は関連するビーコンのグループの識別を含む、ことを特徴とする装置。
【請求項４】
請求項１記載の装置であって、前記装置がメッセージの記録を許可する前に所定のパスワードを入力することをユーザに要求する操作によるパスワードアクセスメカニズムをさらに有する、ことを特徴とする装置。
【請求項５】
請求項１記載の装置であって、以前に記録されたメッセージに対するユーザ探索アクセスのために、ユーザに利用可能なメッセージのためのオーディオインジケータを生成し及び供給する操作が可能である手段をさらに有する、ことを特徴とする装置。
【請求項６】
請求項１記載の装置であって、以前に記録されたメッセージに対するユーザ探索アクセスのために、ユーザに利用可能なメッセージのためのビジュアルインジケータを生成し及び供給する操作が可能である手段をさらに有する、ことを特徴とする装置。
【請求項７】
請求項１記載の装置を有して使用するポータブルコミュニケーションデバイスであって、前記デバイスは、前記コミュニケーションシステムを介するコミュニケーションのために構成され、前記デバイスは、前記認可パラメータを決定し及び前記記録手段に前記認可パラメータを供給するように構成された前記装置を有する、ことを特徴とするデバイス。
【請求項８】
請求項１記載の装置を有して使用するポータブルコミュニケーションデバイスであって、前記デバイスは、前記コミュニケーションシステムを介するコミュニケーションのために構成され、前記デバイスは、前記パスワードを入力するユーザ操作可能な入力手段をさらに有する、ことを特徴とするデバイス。
【請求項９】
請求項６記載の装置を有して使用するポータブルコミュニケーションデバイスであって、前記デバイスは、前記コミュニケーションシステムを介するコミュニケーションのために構成され、前記デバイスは、前記ユーザに利用可能なメッセージのための前記ビジュアルインジケータを表示するよう操作可能である表示手段をさらに有する、ことを特徴とするデバイス。
【請求項１０】
多数のユーザが記録手段にアクセスすること及びこれによりそれぞれのオーディオメッセージを記録することを可能とするように構成されたコミュニケーションシステムと結合したオーディオデータ記録手段の提供を含む共同オーディオメッセージ記録を可能とする方法であって、それぞれのメッセージの前記記録は、前記記録手段へのアクセスに関する少なくとも一つの認可パラメータの獲得及び蓄積と、ユーザによる前記記録手段への次のアクセスのための前記認可パラメータの決定と、マッチングしている認可パラメータを有する以前に記録されたメッセージへの前記次にアクセスするユーザによるアクセスを可能にし、さもなければそのようなアクセスを否認すること、をさらに含む、ことを特徴とする方法。
【請求項１１】
請求項１０記載の方法であって、前記認可パラメータは、メッセージを記録するユーザ用及びメッセージの再生を要求するユーザ用の地理的位置の指示を含む、ことを特徴とする方法。
【請求項１２】
請求項１０記載の方法であって、前記認可パラメータは、メッセージを記録するユーザ用及びメッセージの再生を要求するユーザ用の時間及び／又は日付の指示を含む、ことを特徴とする方法。
【請求項１３】
請求項１０記載の方法であって、前記認可パラメータは、個人的な特徴のユーザ供給指示を含む、ことを特徴とする方法。
【請求項１４】
請求項１３記載の方法であって、前記個人的な特徴は、前記ユーザの嗜好である、ことを特徴とする方法。
【請求項１５】
請求項１３又は請求項１４記載の方法であって、ユーザが複数のメニューに挙げられた個人的な特徴の一つの指示を供給することができる操作によるメニュー選択手段の提供を含む、ことを特徴とする方法。
【発明の詳細な説明】
【０００１】
【発明の属する技術分野】
本発明は、電子機器のユーザに提供されるデータ記憶及び検索サービスに関し、特に、排他的ではないが、ポータブル電話及び適切に装備されたＰＤＡ（Ｐｅｒｓｏｎａｌ Ｄｉｇｉｔａｌ Ａｓｓｉｓｔａｎｔｓ）のようなモバイルコミュニケーションデバイスのユーザに対するメッセージ記録及び再生サービスに関する。
【０００２】
【従来の技術】
近年、遠く離れたユーザ間の交信が提供できるという能力及び設備における特有の認識された有用性をもって、インターネットの加入者において世界的に大きな増加を見た。類似した様式において、同様の有用性がモバイル電話ネットワークにもあり、デバイス自身及びサポート機能の両方に関して技術及び機能の追加での進歩を通じて、セルラー電話はパーソナルで信頼されるデバイスとなっている。この結果は、個人化及び局所化されたサービスがますますより重要になって、モバイル情報化社会が発達している。
【０００３】
ユーザが通常直接に会話することができない（又は欲しない）で、セントラルユーティリティがユーザにより配信されるメッセージをとり、それらを他のユーザに利用させる、メッセージサービスが特に評価されてきている。リアルタイム手段の身近なものとしては、配信されたメッセージが他のユーザによりほとんど即座に使用できるインターネットチャットルームがある。テレコミュニケーションの分野において、リアルタイムサービスの同様の身近な例は、会議メールボックス（ＣＭＢ）システムを記述する欧州特許公開公報ＥＰ−Ａ−０ ７８１ ０２８（ＡＴ＆Ｔ）において与えられる。ＣＭＢは、リアルタイム会議テレコミュニケーションを含む任意の拡張を有し、それぞれの音声メッセージを残すための、多数のユーザがアクセスする応答電話システムである。ＣＭＢは、通常テレコミュニケーションサービスプロバイダにより主催され、有限の期間及びそのサービスのユーザの要求で設定される。それは、要求しているユーザにより正当と認められるならば、どんなユーザ数でもサポートされる。ＣＭＢへのアクセスの制限は、要求しているユーザにより割り当てられた一つ又はシーケンスのパスワードによりなし得る。あるいは、そのシステムが、参加者が無料でメッセージを残すのことができるコレクトコールをサポートする場合、制限は、限定された地理的エリアのみからのコレクトコールの承認を介してなし得る。
【０００４】
そのようなメッセージ共有システムが有用な設備を確かに提供するとき、メッセージコンテンツが、ユーザのコールアップ（ｃａｌｌｉｎｇ ｕｐ）のために重要又は関心のあるもの（特に、多くの加入者を有する人気のあるサービスに対して）にしたいのであれば、ユーザが同様に無関係なメッセージに応じて配信されたほとんど関連のない又は無関連の何百あるいは何千のメッセージに直面しないようにするならば、制限又は分離のある形式が適用されなければならない。それぞれの話題のための分離したインターネットチャットルームの急増は、メッセージサービスの専門家への要求あるいはメッセージサービスの制限、コンテンツに対する要求を如実に物語っている。
【０００５】
【発明が解決しようとする課題】
したがって、本発明の目的は、最初のユーザによる共同で使用するロケーションで配信され及び他のユーザに利用可能なメッセージが、他のユーザにとって適切になるような手段を提供することである。
【０００６】
【課題を解決するための手段】
本発明の第１の態様によれば、多数のユーザを記録手段にアクセスし、それによりそれぞれのオーディオメッセージを記録できるように構成されたコミュニケーションシステムに結合したオーディオデータ記録手段を含む共同オーディオメッセージ記録装置を有するコミュニケーションシステムであって、それぞれのメッセージの記録が記録手段に対するアクセスに関する少なくとも一つの認可パラメータを獲得し蓄積することを含み、この装置は、ユーザによる記録手段に対する次のアクセスのための認可パラメータを決定するように、マッチングしている認可パラメータを有する以前に記録されたメッセージへの前記ユーザによるアクセスを可能にし、そうでなければそのようなアクセスを否認するようにさらに構成されたコミュニケーションシステムを提供する。記録されたメッセージが認可パラメータにしたがって分類され、パラメータが一致した時にのみ再び開放して、ユーザに対して無関係な大量のメッセージを取り扱う必要が相当減少する。さらに、システムのためのアクセス制御メカニズムに対する要求は、事実上取り消される（パスワードアクセスのようなシステムがまだ提供され得るけれども）。
【０００７】
新しいメッセージを付加することに加えて、システムはまた、メッセージ及びコメントの鎖が作られるように、ユーザが既存のメッセージに対するコメントを追加させ得る。蓄積されたメッセージの再生は、メッセージを記録した同じデバイス（又はデバイスのクラス）を介してする必要はない。例えば、モバイル電話により記録されたメッセージは、ウェブＰＣ又はＷＡＰ電話インターフェースを介してその後再生されても良い。また、システムは、特定されたユーザ（鎖に追加するユーザにより特定された）、例えば鎖が依存する最初のメッセージの発信者に、メッセージ及びコメントの集められた鎖を能動的に送信させても良い。
【０００８】
通信システムは、認可パラメータとして記録手段にメッセージを記録するユーザ用及びメッセージの再生を要求するユーザ用の地理的位置の指示を供給しても良い。このように、ユーザが呼び出す位置（例えば、スポーツ会場又はナイトクラブ）に関する共通する何かを有する又はかつて最近訪れたユーザは、グループオーディオメッセージボード上で共同でアクセス可能なメッセージを介して経験を共有することができる。
【０００９】
コミュニケーションシステムは、ユーザが記録手段にアクセスするための複数のネットワーク化されたビーコンを有しても良い。このとき、地理的な認可パラメータは、ユーザが記録手段にアクセスするためのビーコン又は関連するビーコンのグループの識別を有する。
【００１０】
言及したように、パスワードアクセスメカニズムは、装置がメッセージの記録の同意又は記録したメッセージへのアクセスの同意のいずれかの前に所定のパスワードの入力をユーザに要求する操作により提供され得る。ユーザをアシストするために、装置は、好ましくは、以前に記録されたメッセージへのユーザ検索アクセスのために、ユーザに利用可能なメッセージに対するオーディオ又はビジュアルインジケータを生成し及び供給するように構成される。
【００１１】
また、本発明にしたがって、上述したような装置と共に使用するポータブルコミュニケーションデバイスであって、デバイスが、前記コミュニケーションシステムを介したコミュニケーションのために構成され、認可パラメータを決定し及び記録手段に認可パラメータを供給するように構成された手段を有するポータブルコミュニケーションデバイスを提供する。デバイスは、パスワードの入力のためのユーザ操作可能な入力手段をさらに含んでも良く、及び／又はそれはユーザに利用可能なメッセージのためにビジュアルインジケータを表示する操作可能なディスプレイ手段をさらに含んでも良い。
【００１２】
さらに、本発明にしたがって、多数のユーザが記録手段にアクセスすること及びこれによりそれぞれのオーディオメッセージを記録することを可能とするように構成されたコミュニケーションシステムと結合したオーディオデータ記録手段の提供を含む共同オーディオメッセージ記録を可能とする方法であって、それぞれのメッセージの前記記録は、記録手段へのアクセスに関する少なくとも一つの認可パラメータの獲得及び蓄積と、ユーザによる前記記録手段への次のアクセスのための前記認可パラメータを決定と、マッチングしている認可パラメータを有する以前に記録されたメッセージに前記次にアクセスするユーザのアクセスを可能とし、そうでなければそのようなアクセスを否認することと、をさらに含む方法を提供する。
【００１３】
認可パラメータは、メッセージを記録するユーザ用及びメッセージの再生を要求するユーザ用の地理的位置の指示を含んでも良く、それは、メッセージを記録するユーザ用及びメッセージの再生を要求するユーザ用の時間及び／又は日付の指示を含んでも良く、それは、ユーザの嗜好のような個人的な特徴のユーザ供給指示を含んでも良い。認可パラメータがユーザ入力される場合、メニュー選択手段が、ユーザが複数のメニューに挙げられた個人的な特徴の一つの指示を供給することができる操作により提供されても良い。
【００１４】
【発明の実施の形態】
本発明の好ましい実施の形態は、実施例の態様のみにより、及び添付図面を参照して記載される。
【００１５】
図１から始めると、共同オーディオメッセージ記録装置は、モバイル電話１２上及びテレコミュニケーションネットワーク１４上を介して入力されたオーディオメッセージを受信するように接続されたグループオーディオメッセージボード（ＧＡＭＢ）１０を有する。ＧＡＭＢ１０は、操作上の視点から、それぞれのカテゴリーにおけるオーディオメッセージで記録される多くの異なるエリアＡ−Ｆにサブ分割される蓄積装置１６を有する。カテゴリーは、それぞれの到着するメッセージに追加される少なくとも一つの認可パラメータにより決定される。そのパラメータは、蓄積デバイス１６におけるカテゴリー蓄積エリアを選択し及びそこにそのメッセージを記録するためのパラメータインデックスステージ１８により利用される。
【００１６】
ユーザは、マッチングする認可パラメータを有するメッセージに対するアクセスのみを認め、そうでなければアクセスを否認して、パラメータインデックスステージ１８は、以前に記録されたメッセージへのユーザ探索アクセスにより、ＧＡＭＢ蓄積デバイス１６に対する次のアクセスのための認可パラメータの決定をさらに与える。認可パラメータは、多くの形式を取ることができ、システムにより自動的に決定され得るか、どの蓄積エリア又はカテゴリーＡ−Ｆのどれにそれらのメッセージを残すのかについて少なくとも影響し得るように、少なくとも部分的にユーザ制御下にあり得る。
【００１７】
一つの適当な認可パラメータは、ユーザのための地理的な位置である。ユーザモバイル電話１２は、ＧＰＳ（Ｇｌｏｂａｌ Ｐｏｓｉｔｉｏｎｉｎｇ Ｓｙｓｔｅｍ）ユニット２０により例示される、それ自身の位置を決定するための装置を有する。その位置は、記録のためのメッセージ及び蓄積されたメッセージにアクセスするさらなるいかなる試みに自動的に又は選択的に追加され得る。位置決めシステムの精度に及びおそらくまたメッセージの特性に依存して、特定量の地理的範囲が比較するときに許容され得る。システム管理者は、例えば、ナイトクラブ（すなわち、互いのためにメッセージを残すクラブへのビジターのため）のための地理的カバレッジエリアが学校のカバレッジエリアと重ならないことを保証する範囲のような設定を監視するシステムによりサポートされる。
【００１８】
図２に関して、地理的制限は、モバイル電話１２及びテレコミュニケーションネットワーク１４と共同してビーコン２２，２４の使用を通してなし得る。モバイル電話１２がビーコン２２の一つを通してテレコミュニケーションネットワーク１４にリンクして、記録されたメッセージに加えられたそのビーコンのための識別子が認可パラメータを提供する。それぞれの地理的クラスタにグループ化された非常に多数のネットワーク化されたビーコンがある、より大きい規模のシステムにおいて、それぞれのクラスタは、地理的な認可パラメータのためのビーコン識別の代わりに役立つそれ自身の識別を有し得る。
【００１９】
ビーコン構成の変形は、図３に示される。モバイル電話１２は、テレコミュニケーションネットワーク１４と直接リンクする。独立ソース２８から駆動されるビーコン２６は、メッセージに追加されるときに、認可パラメータとして働くのに役立つＲＦトークン又はキーを電話１２に利用可能にする。ビーコンを介するデータキー又はトークンの送り出しのためのシステムは、一般に付与された係属中の英国特許出願００１５４５４．２に記述されている。この構成で、ＧＡＭＢ蓄積デバイス１６（図１）の一つのエリアＡ−Ｆが、イベントに実際に参加した人々によってメッセージの交換のために確保されるように、ビーコン２６がスポーツ又は娯楽の会場に位置され、所与のイベント中にトークン又はキーのみがビーコンにより報知される。ユーザへの一つの特定の利益は、少なくとも最初は、メッセージが匿名で配信され得るということである。
【００２０】
別の又は追加の認可パラメータは、時間／日付による制限である。図１を参照して、記録時間は、パラメータインデックスステージ１８に結合されたクロックソース３０により示されるように、蓄積されたメッセージに対して記録され得る。次のアクセスは、その後所定時間の間のみ可能である。いずれにしても、それは、蓄積されたメッセージに対するアーカイブ及び削除手順を実行させることは（アーカイブされたメッセージへのアクセスは、限られた数のユーザ、おそらくシステム管理者だけに制限され得る）、最も最近のことのみが通常利用可能であることの維持を確保させるという点で、タイムスタンプの付加は有用な設備である。これは、未読メッセージは削除されて、それぞれの蓄積されたメッセージが何回アクセスされたかを記録する手段（図示せず）により置き換えられ又は追加され得る。時間記録と組み合わせて、削除／アーカイブ前に、特定の人気のそれらのメッセージが平均時間よりも長い間保持される。人気のないメッセージは早く除去されて、最も人気のある記録されたメッセージの指示が発見され得る。
【００２１】
モバイル電話１２が日付／時間情報のソース３２を備えている場合、場所／時間認可パラメータは、図２又は図３のビーコンインフラストラクチャーを必要とすることなしに、所与の時間に訪れたオーディオメッセージ識別位置に追加され得る。
【００２２】
認可パラメータの使用が蓄積されたメッセージに対するアクセス上の制限を提供する間、他のレイヤのセキュリティは、メッセージの記録及び／又は蓄積されたメッセージへのアクセスを許す前に、ユーザに所定のパスワードを入力することを要求するパスワードアクセスメカニズム３４により提供され得る。
【００２３】
記憶されたメッセージの指示をユーザに提供するために、ＧＡＭＢ１０は、あらかじめ記録されたメッセージに対するユーザ検索アクセスのために、ユーザに利用可能なメッセージのためのオーディオインジケータを生成し及び供給する操作可能な手段を有しても良い。これは、モバイル電話１２のイヤホーン３８又はスピーカ（図示せず）を介して送り出されるための蓄積されたメッセージ用のオーディオ識別子を生成する音声合成を任意に使用する、パラメータインデックスステージ１８に結合されたオーディオインターフェースステージ３６の形態であっても良い。あるいは、オーディオインターフェースステージ３６は、それぞれのメッセージの最初の数秒用の再生の形で識別子を与えるように配置されても良い。
【００２４】
オーディオ再生の制御は、例えば、以下のオーディオオプションを、再生のためのユーザアクセスメッセージに与えるような、現在の自動オーダーシステムと同様のインターフェースに対するタッチ−トーン制御を使用しても良い。
「次のメインメッセージを聞くために１を押す」
「ラストメッセージの後にコメントを加えるために２を押す」
「新しいメインメッセージを加えるために３を押す」など。
【００２５】
別の又は追加のオーディオインデックスにおいて、蓄積したメッセージのビジュアルインデックスは、パラメータインデックスステージ１８に結合したビジュアルインターフェースステージ４０の制御下で提供され得る。図１の例において、ユーザは、ＧＡＭＢ蓄積部Ａに（再生するために）アクセスし、電話１２のディスプレイ４２上で、利用できるメッセージの数を示すアイコン４４が提示される。電話のキーパッド上のカーソルキー４８により制御されるディスプレイ上のカーソル４６は、再生のためのメッセージの一つを選択することをユーザに可能にする。アイコン４４は、アクセスしたユーザが蓄積されたメッセージ間を区別できるためのいくつかのさらなる指示（メッセージを残すパーティーにより残された記録の日付又は名前）を含んでも良い。この設備は、蓄積されたメッセージの順序が変わり得る場合に特定の有用性がある。例えば、そのシステムは、メッセージの人気を決定するために上述したように配置され得る。利用は、人気の最もあるものから最もないものの順序でユーザに与えられる最後の１０又は２０（言うなれば）のメッセージに制限され得る。
【００２６】
認可パラメータのための他の変形は、それらの変形を技術のある読み手に連想させるであろう。例えば、パラメータコードやデータの種々の形式は、ポータブルコミュニケーションデバイスの制御を介してユーザにより特に入力され得る。これは、十分な英数字入力が例えば通信設備を備えたＰＤＡ又はＷＡＰ電話によりサポートされる場合の特定の使用である。どこにメッセージを蓄積すべきか及びそれゆえ誰がそれにアクセスすべきかを識別するための、そのようなユーザ入力パラメータは、ＧＡＭＢ１０に対するアクセスを単に可能又は不可能にするステージ３４によるパスワードアクセス制御と異なることに留意すべきである。パラメータコード又はデータの例は、ユーザジョブ、嗜好、好み又はユーザの他の個人データに関するインジケータであっても良い。異なるメッセージボードエリアＡ−Ｆの数を過度に増加させないでおくために、種々のパラメータ数の制限が課され得る。このための一つの適当な方法は、電話ディスプレイ４２上に表示される選択メニュー５０からオプションを選ぶ（再びカーソルキー４８を介して）ことをユーザに要求することによりなし得る。
【００２７】
この開示を読むことから、他の変形例は、当業者にとって明らかであろう。そのような変形例は、固定及びポータブルのコミュニケーションシステム及びそれらに組み込まれるシステムや部品の設計、製造、及び使用において既知である、並びに上述した形態の代わりにもしくはそれに加えて使用され得る、他の形態を含み得る。
【図面の簡単な説明】
【図１】図１は、グループオーディオメッセージボード（ＧＡＭＢ）に接続するポータブルコミュニケーション装置の概略ブロック図である。
【図２】図２は、ネットワーク化されたビーコンのシステムを介してグループオーディオメッセージボードに接続するポータブルデバイスを表す。
【図３】図３は、グループオーディオメッセージボードを有する使用のためにビーコンからアクセスキーを得るポータブルデバイスを表す。
【図１】
2004509569.tif 000003
【図３】
2004509569.tif 000004
【国際公開パンフレット】
2004509569.tif 000005
2004509569.tif 000006
2004509569.tif 000007
2004509569.tif 000008
2004509569.tif 000009
2004509569.tif 000010
2004509569.tif 000011
2004509569.tif 000012
2004509569.tif 000013
2004509569.tif 000014
2004509569.tif 000015
2004509569.tif 000016
2004509569.tif 000017
2004509569.tif 000018
2004509569.tif 000019
【国際調査報告】
2004509569.tif 000020
2004509569.tif 000021
2004509569.tif 000022